(57)【特許請求の範囲】
【請求項１】
前部座席側のドア及び車両本体の間をシールする車両用ドアシール材であって、
前記ドアの一部と当接し、取設されるシール基部と、
前記シール基部と一体的に成形され、前記ドアを閉じた際に前記車両本体と少なくとも一部が当接し、前記ドア及び前記車両本体の間で一部が押し潰されて変形する中空構造のシール部と、
前記シール基部及び／または前記シール部と一体的に成形され、所定方向に突出した舌状のリップ部と、
前記リップ先端部に取設され、前記ドアの一部と係止される係止部と
を具備し、
前記リップ部は、
前記シール基部及び前記シール部の長手方向に沿って成形されるとともに、前記シール基部及び／または前記シール部からの突出幅が、前記リップ部のリップ先端部に向かって漸次拡がるように形成され、
拡開して形成された前記リップ部によって前記ドア及び前記車両本体の隙間を遮蔽する車両用ドアシール材。
【発明の詳細な説明】
【技術分野】
【０００１】
本発明は、車両用ドアシール材に関する。更に詳しくは、自動車のドアや車両本体（ボディ）に開口した車両開口部等の周縁に沿って取設され、ドアを閉じた際に弾性変形することで雨水等の車両内部への浸入等を防止するための車両用ドアシール材に関する。
【背景技術】
【０００２】
従来、車両用ドアシール材（「車両用ウェザーストリップ」とも呼称される。）は、可動部材としてのドア及び／または固定部材としての車両本体の車両開口部の周縁に沿って取設されている（例えば、特許文献１参照）。かかる車両用ドアシール材（以下、単に「シール材」と称す。）は、ドアを車両開口部に対して近接させ、閉める操作を行うことでドア及び車両本体の間に取設されたシール材が弾性変形し、挟まれた状態になる。
【０００３】
これにより、シール材の弾性復元力（或いは、弾性反発力）によって、当該シール材がドアまたは車両本体に強く押し付けられることとなり、ドア及び車両本体の隙間を塞ぎ、雨水等の浸入経路を遮断することができる。その結果、水、或いは水以外の塵や埃等の小さな夾雑物、アリ等の小さな昆虫等が車両内部へ侵入することを防いだり、車両外部の騒音や風などが侵入することを防いだりすることができる。これにより、シール材によって運転中等のドライバーや同乗者を不快にさせることがなく、常に快適な車内空間を保つことができる。
【０００４】
シール材の基本的な構成は、例えば、図７に示されるようなものである。すなわち、シール材１００は、ドアや車両本体等（図示しない）に周知の固定手段（例えば、クリップ等）を介して固定されるシール基部１０１と、当該シール基部１０１と一体的に成形され、ドアを閉じた際にその一部が押し潰されて変形する中空構造のシール部１０２と、シール部１０２と一体的に成形され、シール部１０２の外面１０２ａから外方向に向かって突出した板状若しくは舌状のリップ部１０３とを主に具備している。
【０００５】
上記シール材１００は、弾性変形可能なゴム材料を主原料として形成され、所定の温度に加熱して粘度を調整した溶融性の主原料を押出成形技術や型成形技術（射出成形技術）等の周知の樹脂成形技術を用いて所望の形状に成形することができる。ここで、シール材は、ドア等の周縁に沿って取設されるため、一般的に長尺状の形状を呈している。そのため、主として、押出成形技術によって形成されることが多い。なお、図４は押出成形されたシール材１００の断面形状を模式的に示すものである。また、主原料として使用される弾性変形可能なゴム材料等の樹脂材料としては、例えば、エチレン・プロピレン・ジエンゴム（ＥＰＤＭ）、或いはその他の熱可塑性エラストマー等が主に用いられる。
【先行技術文献】
【特許文献】
【０００６】
【特許文献１】特開２０１６−７８７２０号公報
【発明の概要】
【発明が解決しようとする課題】
【０００７】
上記の通り、ＥＰＤＭ等から形成されたシール材は、ドア及び車両本体の間を弾性変形しながら水等の経路を遮蔽することができるため、車両外部から車両内部に至る浸入をほぼ確実に防ぐことができる。すなわち、高いシール性を備えている。しかしながら、特に近年において、下記に掲げる特殊な状況下において不具合を生じる可能性があった。
【０００８】
上記の通り、シール材は水等のシール性の効果を奏するものであればよいため、当該シール性に必要な大きさでリップ部等の大きさや位置が決定されていた。そのため、例えば、乗用車の前部座席側のドアと車両本体との間に配設された場合であっても、その近傍のドア及びフェンダーやＡピラーの隙間を隠すようなものではなかった。そのため、車両外部からドア及びフェンダー等の間が視認されることがあり、見栄え性が良くないことがあった。
【０００９】
加えて、上記のようにドア及びフェンダー等の間に大きな隙間が形成されることにより、高速走行時に当該隙間によって風切り音が発生する可能性があった。
【００１０】
そこで、本発明は上記実情に鑑み、ドア及び車両本体の隙間を塞ぎ、見栄え性を良好なものとするとともに、高速走行時の風切り音の発生を抑制することの可能な車両用ドアシール材の提供を課題とするものである。
【課題を解決するための手段】
【００１１】
本発明によれば、上記課題を解決したドアシール材（車両用ドアシール材）が提供される。
【００１２】
［１］  前部座席側のドア及び車両本体の間をシールする車両用ドアシール材であって、前記ドアの一部と当接し、取設されるシール基部と、前記シール基部と一体的に成形され、前記ドアを閉じた際に前記車両本体と少なくと一部が当接し、前記ドア及び前記車両本体の間で一部が押し潰されて変形する中空構造のシール部と、前記シール基部及び／または前記シール部と一体的に成形され、所定方向に突出した舌状のリップ部と、前記リップ先端部に取設され、前記ドアの一部と係止される係止部とを具備し、前記リップ部は、前記シール基部及び前記シール部の長手方向に沿って成形されるとともに、前記シール基部及び／または前記シール部からの突出幅が、前記リップ部のリップ先端部に向かって漸次拡がるように形成され、拡開して形成された前記リップ部によって前記ドア及び前記車両本体の隙間を遮蔽する車両用ドアシール材。
【発明の効果】
【００１４】
本発明のシール材によれば、ドア及びフェンダー等の車両本体の隙間を拡開したリップ部によって塞ぐことができる。これにより、車両外部からの当該隙間の視認ができなくなり、乗用車の見栄え性、デザイン性が向上する利点を有している。更に、当該隙間が原因で高速走行時に発生することが予想される風切り音を抑制する効果を更に奏する。
【図面の簡単な説明】
【００１５】
【図１】本実施形態のシール材の取設位置の概略を示す説明図である。
【図２】シール材の概略構成を示す説明図である。
【図３】図２のＡ−Ａ’線断面図である。
【図４】シール材の取設の一例を示す説明図である。
【図５】従来のシール材の取設の一例を示す説明図である。
【図６】図２のＢ−Ｂ’線断面図である。
【図７】従来のシール材の概略構成を示す断面図である。
【００１６】
以下、図面を参照しつつ、本発明のシール材（車両用ドアシール材）の実施の形態について説明する。なお、本発明のシール材は、以下の実施形態に限定されるものではなく、本発明の範囲を逸脱しない限りにおいて、種々の設計の変更、修正、及び改良等を加え得るものである。
【００１７】
本発明の一実施形態のシール材１は、図１〜図５に示されるように、乗用車ＣのドアＤの周縁２に沿って取設され、水等の車両内部への浸入を防止するためのものである。特に、本実施形態のシール材１は、乗用車Ｃの前部座席側のドアＤのドア前部ＦＤの周縁２に沿って取設され、前部座席側のドアＤ及び車両本体Ｂの間をシールするものである。ここで、ドアＤのドア前部ＦＤとは、図１に示されるように、乗用車ＣのＡピラー及び当該Ａピラーと連設するフェンダーの近傍の車両本体Ｂと当接する箇所に相当する。
【００１８】
本実施形態のシール材の具体的構成について説明すると、当該シール材１は、例えば、図２に示すように、シール基部３と、中空構造を呈するシール部４と、舌状のリップ部５とを具備して主に構成されている。
【００１９】
本実施形態のシール材１は、応力に対して弾性変形可能な樹脂材料を押出成形することで、上記の構成が一体的に成形されたものであり、全体として長尺状を呈して構成されている。また、シール材１構成する樹脂材料は特に限定されないが、例えば、エチレン・プロピレン・ジエンゴム（以下、「ＥＰＤＭ」と称す。）を主原料とするものを好適に用いることができる。  
【００２０】
次に、シール材１の各構成について更に詳述すると、シール基部３は、ドアＤの周縁２に沿って取設されるものであり、ドアＤに相対する底部３ａと、当該底部３ａから立設された三つの脚部３ｂ，３ｃ，３ｄ、及び後述するシール部４及びリップ部５の一部とによって囲まれた略多角形状の二つの中空部３ｅ，３ｆを備えて構成されている（図２等参照）。
【００２１】
なお、シール基部３の構成は、上記した三つの脚部３ｂ，３ｃ，３ｄによって二つの中空部３ｅ，３ｆを備えたものに限定されるものではなく、ドアＤにシール材１を取設するために、当該ドアＤと当接可能なものであれば構わない。なお、シール基部３にかかる構成及び作用効果等は周知のものであるため、詳細な説明は省略する。また、シール基部３は、長手方向に沿って変化し、後述する図３及び図４に示されるように、脚部３ｂ等及び中空部３ｅ等が消失し、シール部４の一部として構成されることもある。
【００２２】
一方、シール部４は、上述したシール基部３の３つの脚部３ｂ，３ｃ，３ｄの上端と一部が接続され、複数の曲線及び直線を組み合わせて形成された中空管状の構造を呈するものであり、ドアＤの開閉操作に応じて弾性変形可能な中空変形部４ａを備えるものである。すなわち、シール部４に何ら力が加わっていない状態、換言すれば、ドアＤが開いた状態では、例えば、図３に示すような形状を維持している。かかる状態からドアＤを閉じることによって、シール部４と車両本体Ｂの一部とが接触し、更に車両本体ＢによってドアＤ側に押し付けられることで、中空管状の構造のシール部４が押し潰されて弾性変形する。
【００２３】
すなわち、図３におけるシール部４の断面形状が変化する。ここで、図３は、ドアＤ及び車両本体Ｂは、ドアＤが閉状態にある際の位置関係を示し、シール部４（シール材１）はドアＤが開状態にある際の形状を示す断面図である（後述する図６についても同様）。
【００２４】
上記のように、シール材１は弾性変形可能な樹脂材料によって構成されているため、弾性変形したシール部４は元の状態に復帰しようとする弾性反発力が生じる。そのため、シール部４は、車両本体Ｂを押し戻す方向に力が生じる。その結果、車両本体Ｂ及びシール部４が更に強く密着する。これにより、車両本体Ｂ及びシール部４の間を水等が流通することが規制される。すなわち、車両本体Ｂ側での水等のシール性が発揮される。なお、シール部４にかかる構成及び作用効果等は周知のものであるため、詳細な説明は省略する。
【００２５】
本実施形態のシール材１は、図２等に示すように、上記のシール基部３及び／またはシール部４と一体的に成形され、所定方向に突出した舌状のリップ部５を更に具備して構成されている。ここで、リップ部５によるシール性等の作用効果については既に周知のものであるため、詳細な説明は省略する。
【００２６】
本実施形態のシール材１におけるリップ部５は、上記のようなシール性に係る作用効果を発揮するとともに、下記の作用効果を併せて奏することができる。すなわち、リップ部５は、図２等に示すように、シール基部３及びシール部４の長手方向Ｌ（図２における略上下方向に相当）に沿って一体的に成形されている。そして、シール基部３及び／またはシール部４の外面６からの所定の突出方向への突出幅Ｗが従来のシール材と比較して大きくなるように形成されている。特に、リップ部５のリップ先端部５ａに向かって、当該突出幅Ｗが漸次拡がるように形成されている。
【００２７】
かかる構成のリップ部５を備えることで、例えば、図４に示すように、ドアＤ及び車両本体Ｂの隙間ＣＡを遮蔽若しくは塞ぐことができる。ここで、図４は、本実施形態のシール材１の取設された乗用車Ｃの前部座席側のドアＤのドア前部ＦＤ付近を拡大して示したものである。ドアＤに相対する車両本体Ｂの一部であるＡピラーＡＰ及びフェンダーＦとの間の隙間ＣＡがシール材１のリップ部５によって塞がれている（図４のハッチング領域参照）。本実施形態のシール材１のリップ部５が従来よりも幅広となるように形成されていることで、ドアＤ及び車両本体Ｂの隙間ＣＡに、シール材１が視認されることがある。これにより、車両外部から車両内部が視認されるのを当該シール材１で遮蔽することができる。そのため、乗用車Ｃの見栄え性を向上させることができる。
【００２８】
一方、これに対比するように図示された図５は、通常のシール材の取設された乗用車Ｃの前部座席側のドアＤのドア前部付近ＦＤを拡大して示したものである。この場合、本実施形態のシール材１の使用として、車両外部から隙間ＣＡを介して車両内部Ｉの少なくとも一部を視認することができる。その結果見栄え性が悪化したと感じる場合もある。本実施形態のシール材１は、リップ部５によって車両外部からの視認を規制することができる。
【００２９】
更に、本実施形態のシール材１は、下記に掲げる効果を奏している。すなわち、高速走行時等において主に発生する風切り音の抑制効果を奏することができる。一般に、乗用車の車両外部に形成された凹凸等の形状によって、高速走行時等に風切り音が発生する可能性がある。先に示した図５の場合、ドアＤ及びフェンダーＦ等の車両本体Ｂの間には、大きな隙間ＣＡが形成されている。そのため、車両表面に大きな凹凸が認められる。
【００３０】
これに対し、本実施形態のシール材１を適用した乗用車Ｃ（図１参照）の場合、当該隙間ＣＡをリップ部５の一部で塞ぐことができるため、車両外部に対する凹凸の形状を小さくすることができる。その結果、風切り音の発生を抑制若しくは軽減することができる。これにより、高速走行時等における車両内部の空間の快適性を向上させることができる。
【００３１】
加えて、本実施形態のシール材１は、上記構成に加え、リップ部５のリップ先端部５ａにドアＤの一部と係止可能な係止部７を具備して構成されている。上記の通り、通常のシール材に対して突出幅Ｗを大きく形成する必要があるため、従来のシール材１よりも走行時の風等の影響を受けやすくなる。すなわち、隙間ＣＡを介して侵入した風が強くリップ部５に当たる可能性がある。
【００３２】
特に、リップ部５を含むシール材１全体が、弾性変形可能な樹脂材料を用いて一体的に成形されているため、かかる風による圧力によって、リップ部５の全体が振動したり、或いは、周囲の車両本体Ｂ或いはドアＤとその一部が直接当たったりする可能性がある。その結果、不快な振動や音等を運転者等が感じることがあり、快適な車両空間を確保できないことがあった。
【００３３】
そこで、本実施形態のシール材１は、リップ部５のリップ先端部５ａに、当該リップ部５の一部を約１８０°方向に折り曲げた断面略コの字形状の係止部７を備えている。これにより、ドアＤの一部Ｄ１に当該リップ先端部５ａの断面略コの字形状の部分を挟み込むことができる（図６参照）。
【００３４】
かかる構成を採用することにより、リップ部５が従来よりも幅広に形成されたとしても、リップ部５が大きく振動する等の不具合を解消することができる。なお、係止部７の形状及び構造は、図２及び図６等に図示したものに限定されるものではなく、ドアＤに固定され、上記の振動等の防止機能を備えるものであれば構わない。
【００３５】
上記示した通り、本発明のシール材は、通常のシール性等の効果を奏するとともに、通常よりも幅広に形成されたリップ部を備えることで、車両外部からの車両内部の視認を遮蔽する遮蔽機能と、高速走行時の風切り音の発生を抑制する風切り音抑制機能とを備えている。
【産業上の利用可能性】
【００３６】
本発明のシール材（車両用ドアシール材）は、乗用車や産業用或いは農業等の各種車両のドアまたは車体開口部等に取設可能であり、その他の種々の産業技術分野において利用可能性が期待される。
【符号の説明】
【００３７】
１，１００：シール材（車両用ドアシール材）、２：周縁、３，１０１：シール基部、３ａ：底部、３ｂ，３ｃ，３ｄ：脚部、３ｅ，３ｆ：中空部、４，１０２：シール部、４ａ：中空変形部、５，１０３：リップ部、５ａ：リップ先端部、５ｂ：突出基端、６，１０２ａ：外面、７：係止部、ＡＰ：Ａピラー（車両本体）、Ｂ：車両本体、Ｃ：乗用車、ＣＡ：隙間、Ｄ：ドア、Ｄ１：ドアの一部、Ｆ：フェンダー（車両本体）、ＦＤ：ドア前部、Ｉ：車両内部、Ｌ：長手方向、Ｗ：突出幅。
【図１】
0006982030.tif 000002
【図２】
0006982030.tif 000003
【図３】
0006982030.tif 000004
【図４】
0006982030.tif 000005
【図５】
0006982030.tif 000006
【図６】
0006982030.tif 000007
【図７】
0006982030.tif 000008